(57)【特許請求の範囲】
【請求項１】
庫内温度とその設定値との偏差に基づいて開閉制御して蒸発器への冷媒の流入を制御する電磁弁をそれぞれ備えた複数のショーケースと、
該複数のショーケースと冷凍サイクルを構成する冷凍機とを備え、
全てのショーケースの電磁弁の運転率が予め定めた範囲に収束するように冷凍機を制御するショーケース冷却システムにおいて、
電子膨張弁を前記複数のショーケースにそれぞれ設け、
特定のショーケースの電磁弁の運転率が予め定めた範囲に収束しない場合に、当該ショーケースの電磁弁の運転率が予め定めた範囲に収束するように、当該ショーケースの電子膨張弁の開度を制御することを特徴とするショーケース冷却システム。
【請求項２】
庫内温度とその設定値との偏差に基づいて開閉制御して蒸発器への冷媒液の流入を制御する電磁弁と、電子膨張弁とをそれぞれ備えた複数のショーケースと、
該複数のショーケースと冷凍サイクルを構成する冷凍機とを備え、
全てのショーケースの電磁弁の運転率が予め定めた範囲に収束するように冷凍機を制御するショーケース冷却システムにおいて、
過熱度が予め定めた値となるように電子膨張弁を過熱度制御するとともに、
特定のショーケースの電磁弁の運転率が予め定めた範囲に収束しない場合に、過熱度制御に優先し、当該ショーケースの電磁弁の運転率が予め定めた範囲に収束するように、当該ショーケースの電子膨張弁の開度を制御することを特徴とするショーケース冷却システム。
【請求項３】
蒸発器の出口配管温度が入口配管温度以下の場合には液バックと判定し、電子膨張弁の開度が小さくなるように優先制御することを特徴とする請求項１または２に記載のショーケース冷却システム。
【請求項４】
液バックと判定した場合には蒸発器の出口配管温度が入口配管温度を超えるまで電子膨張弁の開度が小さくなるように優先制御することを特徴とする請求項３に記載のショーケース冷却システム。
【発明の詳細な説明】
【技術分野】
【０００１】
本発明は、ショーケース冷却システムに関し、特に、複数のショーケースを冷却するショーケース冷却システムに関するものである。
【背景技術】
【０００２】
図５は、従来から知られているショーケース冷却システムを示す概略構成図である。このようなショーケース冷却システム１００は、スーパーマーケット、コンビニエンスストア等の店舗に設置されている。ショーケース冷却システム１００は、図５に示すように、複数のショーケース１１０，１２０，１３０と、冷凍機１４０とを有し、複数のショーケース１１０，１２０，１３０と冷凍機１４０とは、冷凍サイクルを構成する。また、ショーケース冷却システム１００は、総合コントローラ１５０を有し、上述した複数のショーケース１１０，１２０，１３０と冷凍機１４０とを総合的、かつ、合理的に制御可能である。
【０００３】
複数のショーケース１１０，１２０，１３０は、店舗内に並設してあり、一つのグループを構成する。各ショーケース１１０，１２０，１３０は、それぞれ、電磁弁（図示せず）、熱膨張弁（図示せず）、蒸発器（図示せず）、温度センサ（図示せず）、およびショーケースコントローラ１１１，１２１，１３１を備えている。電磁弁は、蒸発器への冷媒の流入を開閉制御（オン・オフ制御）するものであり、それぞれショーケースコントローラ１１１，１２１，１３１に接続してある。温度センサは、ショーケース１１０，１２０，１３０の庫内温度を測定するものであり、各ショーケース１１０，１２０，１３０の空気の吹出口近傍に配設するとともに、各ショーケースコントローラ１１１，１２１，１３１に接続してある。ショーケースコントローラ１１１，１２１，１３１は、温度センサから取得した温度に基づいて、電磁弁を開閉制御するものであり、総合コントローラ１５０（電磁弁運転率演算部）に接続してある。
【０００４】
冷凍機１４０は、圧縮機１４１、凝縮器（図示せず）、インバータ１４２、および圧力センサ１４３を備えている。圧縮機１４１は、インバータ１４２により駆動制御される。圧力センサ１４３は、圧縮機１４１への吸入冷媒圧力を測定するものであり、総合コントローラ１５０（回転数指令演算部）に接続してある。
【０００５】
総合コントローラ１５０は、電磁弁運転率演算部１５１、圧力設定値演算部１５２、および回転数指令演算部１５３を有している。
【０００６】
電磁弁運転率演算部１５１は、電磁弁の運転率を算出するものであり、ショーケースコントローラ１１１，１２１，１３１から取得した電磁弁の開閉制御情報（オン・オフ制御情報）に基づいて、電磁弁の運転率を算出する。具体的には、所定時間における電磁弁のオン時間の比率を所定時間ごとに算出することにより、所定時間ごとに電磁弁の運転率が算出される。
【０００７】
圧力設定値演算部１５２は、圧縮機１４１の制御指標となる圧力設定値を求めるものである。圧力設定値は、圧縮機１４１の吸入冷媒圧力を設定するものであり、電磁弁運転率演算部１５１で算出された電磁弁の運転率に基づいて求められる。
【０００８】
具体的には、図６に示す制御指標に基づいて圧力設定値が求められる。なお、図６は、圧力設定値を求めるための電磁弁運転率と圧力設定値との相関関係を示す図である。図６に示すように、少なくとも一台のショーケース１１０，１２０，１３０の電磁弁の運転率が９０％以上の場合には、冷凍機１４０の冷凍能力が不足しているとして、現行の圧力設定値から０．０１Ｍｐａ下げた値を新たな圧力設定値とする一方、全てのショーケース１１０，１２０，１３０の電磁弁の運転率が９０％以下で、かつ、少なくとも一台のショーケース１１０，１２０，１３０の電磁弁の運転率が４０％以下の場合には、冷凍機１４０の冷凍能力が過剰であるとして、現行の圧力設定値から０．０１Ｍｐａ上げた値を新たな圧力設定値とする。他方、全てのショーケース１１０，１２０，１３０の電磁弁の運転率が４０％〜９０％の場合には、冷凍機１４０の冷凍能力が適当であるとして、現行の圧力設定値を維持する。
【０００９】
たとえば、ショーケースコントローラ１１１，１２１，１３１から取得した電磁弁の開閉情報（オン・オフ情報）に基づいて、電磁弁運転率演算部１５１が算出した電磁弁の運転率がそれぞれ、５０％、９５％、４５％であるとすると、一台のショーケース１２０の電磁弁運転率が９５％となるので、圧力設定値演算部１５２は、冷凍機１４０の冷凍能力が不足しているとして、現行の圧力設定値から０．０１Ｍｐａ下げた値を新たな圧力設定値とする。
【００１０】
回転数指令演算部１５３は、圧縮機１４１を制御するインバータ１４２の制御指標となる回転数を算出するものである。回転数は、圧力設定値演算部１５２で求められた圧力設定値と圧力センサ１４３で測定された圧縮機１４１の吸入冷媒圧力との偏差に基づいて算出される。
【００１１】
上述したショーケース冷却システム１００によれば、電磁弁運転率演算部１５１で電磁弁の運転率を算出し、この運転率に基づいて圧力設定値演算部１５２で圧力設定値を求める。そして、求めた圧力設定値と圧力センサ１４３で測定された圧縮機１４１の吸入冷媒圧力との偏差に基づいて回転数指令演算部１５３で算出した回転数によりインバータ１４２を制御して圧縮機１４１を駆動する。
【００１２】
したがって、上述したショーケース冷却システム１００によれば、ショーケース１１０，１２０，１３０の周囲温度等の環境の変化に対応可能であり、また、冷凍機１４０の消費電力を抑制し、省エネルギーに寄与することができる（例えば、特許文献１参照）。
【００１３】
【特許文献１】特許第３６０３４９７号公報
【発明の開示】
【発明が解決しようとする課題】
【００１４】
ところで、上述したショーケース冷却システム１００は、複数のショーケース１１０，１２０，１３０のうち一台でも電磁弁の運転率の高いものがある場合には、圧力設定値演算部１５２が算出する圧力設定値は下がることになり、回転数指令演算部１５３が算出する回転数は増大することになる。これは、複数のショーケース１１０，１２０，１３０のうち一台でも電磁弁の運転率が高いものがある場合には、圧縮機１４１の回転数が増大することを意味し、省エネルギーに反することになる。
【００１５】
本発明は、上記実情に鑑みて、特定のショーケースの電磁弁の運転率が予め定めた範囲に収束しない場合に、圧縮機の回転数を増大させることなく、当該ショーケースの電磁弁の運転率を予め定めた範囲に収束させ、省エネルギーに寄与することができるショーケース冷却システムを提供することを目的とする。
【課題を解決するための手段】
【００１６】
上記の目的を達成するために、本発明の請求項１にかかるショーケース冷却システムは、庫内温度とその設定値との偏差に基づいて開閉制御して蒸発器への冷媒の流入を制御する電磁弁をそれぞれ備えた複数のショーケースと、該複数のショーケースと冷凍サイクルを構成する冷凍機とを備え、全てのショーケースの電磁弁の運転率が予め定めた範囲に収束するように冷凍機を制御するショーケース冷却システムにおいて、電子膨張弁を前記複数のショーケースにそれぞれ設け、特定のショーケースの電磁弁の運転率が予め定めた範囲に収束しない場合に、当該ショーケースの電磁弁の運転率が予め定めた範囲に収束するように、当該ショーケースの電子膨張弁の開度を制御することを特徴とする。
【００１７】
また、本発明の請求項２にかかるショーケース冷却システムは、庫内温度とその設定値との偏差に基づいて開閉制御して蒸発器への冷媒液の流入を制御する電磁弁と、電子膨張弁とをそれぞれ備えた複数のショーケースと、該複数のショーケースと冷凍サイクルを構成する冷凍機とを備え、全てのショーケースの電磁弁の運転率が予め定めた範囲に収束するように冷凍機を制御するショーケース冷却システムにおいて、過熱度が予め定めた値となるように電子膨張弁を過熱度制御するとともに、特定のショーケースの電磁弁の運転率が予め定めた範囲に収束しない場合に、過熱度制御に優先し、当該ショーケースの電磁弁の運転率が予め定めた範囲に収束するように、当該ショーケースの電子膨張弁の開度を制御することを特徴とする。
【００１８】
また、本発明の請求項３にかかるショーケース冷却システムは、上記請求項１または２において、蒸発器の出口配管温度が入口配管温度以下の場合には液バックと判定し、電子膨張弁の開度が小さくなるように優先制御することを特徴とする。
【００１９】
また、本発明の請求項４にかかるショーケース冷却システムは、上記請求項３において、液バックと判定した場合には蒸発器の出口配管温度が入口配管温度を超えるまで電子膨張弁の開度が小さくなるように優先制御することを特徴とする。
【発明の効果】
【００２０】
本発明にかかるショーケース冷却システムは、電子膨張弁を複数のショーケースにそれぞれ設け、特定のショーケースの電磁弁の運転率が予め定めた範囲に収束しない場合に、当該ショーケースの電磁弁の運転率が予め定めた範囲に収束するように、当該ショーケースの電子膨張弁の開度を制御するので、圧縮機の回転数を増大させることなく、当該ショーケースの電磁弁の運転率を予め定めた範囲に収束でき、省エネルギーに寄与することができる。
【００２１】
また、本発明にかかるショーケース冷却システムは、過熱度が予め定めた値となるように電子膨張弁を過熱度制御するとともに、特定のショーケースの電磁弁の運転率が予め定めた範囲に収束しない場合に、過熱度制御に優先し、当該ショーケースの電磁弁の運転率が予め定めた範囲に収束するように、当該ショーケースの電子膨張弁の開度を制御するので、圧縮機の回転数を増大させることなく、当該ショーケースの電磁弁の運転率を予め定めた範囲に収束でき、省エネルギーに寄与することができる。
【００２２】
本発明にかかるショーケース冷却システムは、蒸発器の出口配管温度が入口配管温度以下の場合には液バックと判定し、電子膨張弁の開度が小さくなるように優先制御するので、液バックによる冷凍機の破損を防止できる。
【００２３】
液バックと判定した場合には蒸発器の出口配管温度が入口配管温度を超えるまで電子膨張弁の開度が小さくなるように優先制御するので、電子膨張弁の開度を過度に小さくすることがない。
【発明を実施するための最良の形態】
【００２４】
以下に添付図面を参照して、本発明にかかるショーケース冷却システムの好適な実施例を詳細に説明する。なお、この実施例によりこの発明が限定されるものではない。
【実施例】
【００２５】
図１は本発明の実施例にかかるショーケース冷却システムを示す概略構成図、図２は図１に示したショーケース冷却システムの冷凍サイクルを示す図、図３は図１に示したショーケース冷却システムのブロック図である。
【００２６】
図１に示すように、ショーケース冷却システムは、複数のショーケース１０，２０，３０と、冷凍機４０とを有し、複数のショーケース１０，２０，３０（電子膨張弁１２，２２，３２および蒸発器１３，２３，３３）と冷凍機４０（圧縮機４１および凝縮器４４）とは、冷凍サイクルを構成する。また、ショーケース冷却システムは、総合コントローラ５０を有し、上述した複数のショーケース１０，２０，３０と冷凍機４０とを総合的、かつ、合理的に制御する。
【００２７】
複数のショーケース１０，２０，３０は、店舗内に並設してあり、一つのグループを構成する。各ショーケース１０，２０，３０は、図２および図３に示すように、それぞれ、電磁弁１１，２１，３１、電子膨張弁１２，２２，３２、蒸発器１３，２３，３３、蒸発器入口配管温度センサ１５，２５，３５、蒸発器出口配管温度センサ１６，２６，３６、温度センサ１７，２７，３７、およびショーケースコントローラ１８，２８，３８を備えている。
【００２８】
電磁弁１１，２１，３１は、蒸発器１３，２３，３３への冷媒の流入を開閉制御（オン・オフ制御）するものであり、ショーケースコントローラ１８，２８，３８に接続してある。
【００２９】
電子膨張弁１２，２２，３２は、蒸発器１３，２３，３３へ流入する冷媒の流量を制御（開度を制御）するものであり、総合コントローラ５０（電子膨張弁コントローラ５４）に接続してある。
【００３０】
蒸発器１３，２３，３３は、低温、定圧の液冷媒を蒸発させて、蒸発熱により、周囲の空気を冷却するものである。
【００３１】
蒸発器入口配管温度センサ１５，２５，３５は、蒸発器１３，２３，３３の入口配管温度を測定するものであり、それぞれショーケースコントローラ１８，２８，３８に接続してある。蒸発器出口配管温度センサ１６，２６，３６は、蒸発器１３，２３，３３の出口配管温度を測定するものであり、それぞれショーケースコントローラ１８，２８，３８に接続してある。
【００３２】
温度センサ１７，２７，３７は、ショーケース１０，２０，３０の庫内温度を測定するものであり、空気の吹出口近傍に配設してある。ここで、ショーケース１０，２０，３０の庫内温度を測定する位置として、空気の吹出口近傍を選定した理由は、一つにはショーケース１０，２０，３０に収納した商品の多寡によって影響されない位置であること、もう一つには温度の変化が最も先行的に表れる位置であることからである。
【００３３】
ショーケースコントローラ１８，２８，３８は、電磁弁１１，２１，３１を制御するものであり、総合コントローラ５０に接続してある。電磁弁１１，２１，３１の制御は、予め設定した庫内温度と、温度センサ１７，２７，３７から取得した庫内温度との差に基づいて、電磁弁１１，２１，３１を開閉制御（オン・オフ制御）するものであり、たとえば、取得した庫内温度が設定した庫内温度よりも高い場合には電磁弁１１，２１，３１を開放（オン制御）し、取得した庫内温度が設定した庫内温度よりも低い場合には電磁弁１１，２１，３１を閉塞（オフ制御）する。
【００３４】
また、ショーケースコントローラ１８，２８，３８は、総合コントローラ５０（電磁弁運転率演算部５１）に接続してあり、総合コントローラ５０は、電磁弁の開閉制御情報（オン・オフ制御情報）を取得可能である。さらに、総合コントローラ５０は、ショーケースコントローラ１８，２８，３８から蒸発器１３，２３，３３の入口配管温度および出口配管温度を取得可能である。
【００３５】
冷凍機４０は、圧縮機４１、インバータ４２、圧力センサ４３、凝縮器４４、およびアキュームレータ４５を備えている。
【００３６】
圧縮機４１は、蒸発器１３，２３，３３で蒸発した冷媒ガスを圧縮し、高温高圧の冷媒ガスとするものである。
【００３７】
インバータ４２は、圧縮機４１の駆動を制御するものであり、総合コントローラ５０（回転数指令演算部５３）に接続してある。
【００３８】
圧力センサ４３は、圧縮機４１の流入冷媒圧力を測定するものであり、総合コントローラ５０（回転数指令演算部５３）に接続してある。
【００３９】
凝縮器４４は、等圧の下で放熱し、圧縮機４１で圧縮された冷媒ガスを凝縮して冷媒液とするものである。
【００４０】
アキュームレータ４５は、吸入回路に取り付けてある。アキュームレータ４５は、蒸発器１３，２３，３３から液状の冷媒が圧縮機４１に供給されると、液圧縮を起こして圧縮機４１を破損する虞れがあるので、冷媒液（液体の冷媒）と冷媒ガス（気体の冷媒）とを分離して冷媒ガス（気体の冷媒）だけを圧縮機４１に吸入させる機能を有している。
【００４１】
総合コントローラ５０は、電磁弁運転率演算部５１、圧力設定値演算部５２、回転数指令演算部５３、および電子膨張弁コントローラ５４を有している。
【００４２】
電磁弁運転率演算部５１は、電磁弁１１，２１，３１の運転率を算出するものであり、ショーケースコントローラ１８，２８，３８から取得した電磁弁１１，２１，３１の開閉制御情報（オン・オフ制御情報）に基づいて、電磁弁１１，２１，３１の運転率を算出する。具体的には、所定時間における電磁弁１１，２１，３１のオン時間の比率を所定時間ごとにそれぞれ算出することにより、所定時間ごとに電磁弁の運転率がそれぞれ算出される。
【００４３】
圧力設定値演算部５２は、圧縮機４１の制御指標となる圧力設定値を求めるものである。圧力設定値は、圧縮機４１の吸入冷媒圧力を設定するものであり、電磁弁運転率演算部５１で算出された電磁弁１１，２１，３１の運転率に基づいて求められる。
【００４４】
具体的には、従前のショーケース冷却システム１００と同様に圧力設定値が求められる。すなわち、図６に示すように、少なくとも一台のショーケース１０，２０，３０の電磁弁１１，２１，３１の運転率が９０％以上の場合には、冷凍機４０の冷凍能力が不足しているとして、現行の圧力設定値から０．０１Ｍｐａ下げた値を新たな圧力設定値とする一方、全てのショーケース１０，２０，３０の電磁弁１１，２１，３１の運転率が９０％以下で、かつ、少なくとも一台のショーケース１０，２０，３０の電磁弁１１，２１，３１の運転率が４０％以下の場合には、冷凍機４０の冷凍能力が過剰であるとして、現行の圧力設定値から０．０１Ｍｐａ上げた値を新たな圧力設定値とする。他方、全てのショーケース１０，２０，３０の電磁弁１１，２１，３１の運転率が４０％〜９０％の場合には、冷凍機４０の冷凍能力が適当であるとして、現行の圧力設定値を維持する。
【００４５】
回転数指令演算部５３は、圧縮機４１を制御するインバータ４２の制御指標となる回転数を算出するものである。回転数は、圧力設定値演算部５２で算出された圧力設定値と圧力センサ４３で測定された吸入冷媒圧力との偏差に基づいて算出される。
【００４６】
電子膨張弁コントローラ５４は、電子膨張弁１２，２２，３２を過熱度制御する。過熱度制御は、蒸発器１３，２３，３３の出入口配管温度の差が目標値と同一となるように制御することをいい、本実施例では、ショーケースコントローラ１８，２８，３８から取得した蒸発器１３，２３，３３の入口配管温度と出口配管温度との差（過熱度）が予め定めた目標値と同一となるように制御する。したがって、過熱度が目標値よりも大きい場合には、電子膨張弁１２，２２，３２の開度が大きくなるように制御し、過熱度が目標値よりも小さい場合には電子膨張弁１２，２２，３２の開度が小さくなるように制御する。
【００４７】
また、電子膨張弁コントローラ５４は、回転数指令演算部５３が圧縮機４１の回転数を変更したにもかかわらず、電磁弁１１，２１，３１の運転率が改善されない場合に、液バックが発生しない範囲で、電子膨張弁１２，２２，３２の開度を制御する。
【００４８】
すなわち、電磁弁１１，２１，３１の運転率が改善されないショーケース１０，２０，３０は、冷媒流量（冷凍能力）が不足しているので、電子膨張弁コントローラ５４は、開度が大きくなるように電子膨張弁１２，２２，３２を制御する。
【００４９】
液バックとは、冷媒が液状のままで圧縮機４１に吸入される現象であり、蒸発器１３，２３，３３の入口配管温度が蒸発器１３，２３，３３の出口配管温度以上（蒸発器の入口配管温度≧蒸発器の出口配管温度）の場合、電子膨張弁コントローラ５４は、液バックと判断する。そして、この場合には、電子膨張弁コントローラ５４は、開度が小さくなるように、電子膨張弁１２，２２，３２を制御する。具体的には、蒸発器１３，２３，３３の出口配管温度が入口配管温度を超えるまで電子膨張弁１２，２２，３２の開度が小さくなるように優先制御する。
【００５０】
たとえば、ショーケースコントローラ１８，２８，３８から取得した電磁弁１１，２１，３１の開閉情報（オン・オフ情報）に基づいて、電磁弁運転率演算部５１が算出した電磁弁１１，２１，３１の運転率が図４に示すように、それぞれ、５０％、９５％、４５％であるとすると、一台のショーケース２０の電磁弁運転率が９５％となるので、圧力設定値演算部５２は、冷凍能力が不足しているとして、現行の圧力設定値から０．０１Ｍｐａ下げた値を圧力設定値とする。
【００５１】
すると、回転数指令演算部５３が算出する回転数が増加することになり、圧縮機４１の回転数が増加することになる。このため、冷凍能力が適当なものとなり、当該ショーケース２０の電磁弁２１の運転率が改善される。
【００５２】
しかしながら、このように回転数が増加したにもかかわらず、当該ショーケース２０の電磁弁２１の運転率が改善されない場合には、当該ショーケース２０が外乱の影響を受けていると判断する。なお、外乱としては、店舗内のエアコン室内機からの吹き出し空気がショーケース２０のエアカーテンと干渉している場合等が想定される。
【００５３】
この場合には、電子膨張弁コントローラ５４は、当該ショーケース２０の冷媒流量（冷凍能力）が不足していると判断して、当該ショーケース２０の電子膨張弁２２の弁開度を大きくして、冷媒流量を増加するように制御する。
【００５４】
この結果、当該ショーケース２０の冷凍能力不足が解消され、当該ショーケース２０の電磁弁２１の運転率が改善され、圧力設定値演算部５２が必要以上に圧力設定値を下げることはない。
【００５５】
上述してショーケース冷却システムによれば、電子膨張弁１２，２２，３２を各ショーケース１０，２０，３０にそれぞれ設け、特定のショーケース２０の電磁弁２１の運転率が予め定めた範囲に収束しない場合に、当該ショーケース２０の電磁弁２１の運転率が予め定めた範囲に収束するように、当該ショーケース２０の電子膨張弁２２の開度を制御するので、圧縮機４１の回転数を増大させることなく、当該ショーケース２０の電磁弁２１の運転率を予め定めた範囲に収束でき、省エネルギーに寄与することができる。
【００５６】
また、特定のショーケース２０の電磁弁２１の運転率が予め定めた範囲に収束しない場合に、過熱度制御に優先し、当該ショーケース２０の電磁弁２１の運転率が予め定めた範囲に収束するように、当該ショーケース２０の電子膨張弁２２の開度を制御するので、圧縮機４１の回転数を増大させることなく、当該ショーケース２０の電磁弁２１の運転率を予め定めた範囲に収束でき、省エネルギーに寄与することができる。
【００５７】
また、蒸発器の出口配管温度が入口配管温度以下（蒸発器の入口配管温度≧蒸発器の出口配管温度）の場合には液バックと判定し、電子膨張弁１２，２２，３２の開度が小さくなるように優先制御するので、液バックによる冷凍機４０（圧縮機４１）の破損を防止できる。
【００５８】
液バックと判定した場合には蒸発器１３，２３，３３の出口配管温度が入口配管温度を超えるまで電子膨張弁１２，２２，３２の開度が小さくなるように優先制御するので、電子膨張弁の開度を過度に小さくすることがない。
【００５９】
なお、上述したショーケース冷却システムによれば、総合コントローラ５０が電子膨張弁コントローラ５４を有するものとしたが、各ショーケース１０，２０，３０のショーケースコントローラ１８，２８，３８が電子膨張弁コントローラ５４を有するものとしてもよい。
【００６０】
また、冷凍機４０がアキュームレータ４５を備えるものとしたが、ショーケース１０，２０，３０が、それぞれアキュームレータを有するものとしてもよい。
【産業上の利用可能性】
【００６１】
以上のように、本発明にかかるショーケース冷却システムは、複数のショーケースを有するショーケース冷却システムに有用であり、特に、省エネルギーに寄与するショーケース冷却システムに適している。
【図面の簡単な説明】
【００６２】
【図１】本発明の実施例にかかるショーケース冷却システムを示す概略構成図である。
【図２】図１に示したショーケース冷却システムの冷凍サイクルを示す図である。
【図３】図１に示したショーケース冷却システムのブロック図である。
【図４】図１に示したショーケース冷却システムの作用を説明するための説明図である。
【図５】従来から知られているショーケース冷却システムを示す概略構成図である。
【図６】圧力設定値を求めるための電磁弁運転率と圧力設定値との相関関係を示す図である。
【符号の説明】
【００６３】
１０，２０，３０    ショーケース
１１，２１，３１    電磁弁
１２，２２，３２    電子膨張弁
１３，２３，３３    蒸発器
１５，２５，３５    蒸発器入口配管温度センサ
１６，２６，３６    蒸発器出口配管温度センサ
１７，２７，３７    温度センサ
１８，２８，３８    ショーケースコントローラ
４０    冷凍機
４１    圧縮機
４２    インバータ
４３    圧力センサ
４４    凝縮器
４５    アキュームレータ
５０    総合コントローラ
５１    電磁弁運転率演算部
５２    圧力設定値演算部
５３    回転数指令演算部
５４    電子膨張弁コントローラ
【図１】
0004626520.tif 000002
【図２】
0004626520.tif 000003
【図３】
0004626520.tif 000004
【図４】
0004626520.tif 000005
【図５】
0004626520.tif 000006
【図６】
0004626520.tif 000007